(57)【要約】【課題】固定筒内への漏光を簡易な構成により防止することのできるカメラを提供すること。【解決手段】光軸に沿って直進動作する直進筒１１ａを有するレンズ鏡胴１１を収納すると共に、前記直進筒１１ａに設けられたカムピン１４を前記レンズ鏡胴１１の光軸に沿って直進動作可能に挿通させる駆動溝１３を有する固定筒１と、前記固定筒１の上面に設けられ、前記カムピン１４と嵌合して該カムピン１４の直進動作に伴って前記レンズ鏡胴１１の光軸と交差する方向に摺動可能とされたカム板２と、前記カム板２上に設けられ、該カム板２の摺動に連動してファインダーレンズ群３２をその光軸方向に移動させるファインダーユニット３とを有するカメラにおいて、前記固定筒１上面又は前記ファインダーユニット下面３ａの少なくとも一方に、該ファインダーユニット３から前記固定筒１の駆動溝１３内への漏光を防止する遮光用リブ１６を一体に形成する。【選択図】　　　　図１
2004086049.tif 000002
【特許請求の範囲】
【請求項１】
光軸に沿って直進動作する直進筒を有するレンズ鏡胴を収納すると共に、前記直進筒に設けられたカムピンを前記レンズ鏡胴の光軸に沿って直進動作可能に挿通させる駆動溝を有する固定筒と、前記固定筒の上面に設けられ、前記カムピンと嵌合して該カムピンの直進動作に伴って前記レンズ鏡胴の光軸と交差する方向に摺動可能とされたカム板と、前記カム板上に設けられ、該カム板の摺動に連動してファインダーレンズ群をその光軸方向に移動させるファインダーユニットとを有するカメラにおいて、前記固定筒上面又は前記ファインダーユニット下面の少なくとも一方に、該ファインダーユニットから前記固定筒の駆動溝内への漏光を防止する遮光用リブを一体に形成したことを特徴とするカメラ。
【請求項２】
前記遮光用リブは、前記レンズ鏡胴の光軸に沿い、且つ前記レンズ鏡胴の光軸に沿う駆動溝の長さ以上の長さで設けられることを特徴とする請求項１記載のカメラ。
【請求項３】
前記カム板の摺動を案内する摺動レールが前記固定筒上面における前記駆動溝の長さ方向の両端部近傍にそれぞれ突設され、前記遮光用リブは、前記各摺動レールの一端と連結されていることを特徴とする請求項２記載のカメラ。
【発明の詳細な説明】
【０００１】
【発明の属する技術分野】
本発明は、固定筒内への漏光を簡易な構成により防止するようにしたカメラに関する。
【０００２】
【従来の技術】
焦点距離を調整可能な撮影レンズ群をレンズ鏡胴内に収容したカメラは、直進筒が撮影レンズの光軸に沿って直進動作を行うことでレンズ鏡胴をカメラ本体から進退させる構造である。直進筒内には、更にその直進筒の進退動作に連動して回転しながら進退動作を行う回転筒を備えている。
【０００３】
かかるカメラでは、撮影レンズ群の焦点距離が調整されることにより撮影時の画角が変化する。このため、ファインダーから覗いた際の画角を撮影レンズ群による撮影時の画角と一致させるため、直進筒の進退動作に連動するカム板を介してファインダーユニットに備えられたファインダーレンズ群を光軸に沿って移動させ、ファインダーから覗いた際の画角を調整可能としている。即ち、上記レンズ鏡胴を収納した固定筒の上面には、該レンズ鏡胴の光軸に沿って延びる溝が開口形成されており、この溝から直進筒に突設されたカムピンを挿通させて固定筒上に突出させると共に、カム板の下面には上記カムピンに嵌合する曲線状のカム溝が形成されており、上記直進筒の進退動作に連動するカムピンの直進動作によってカム板をレンズ鏡胴の光軸と交差する方向に摺動可能としている。また、カム板の表面には、ファインダーユニットに設けられたカム軸と噛合するギヤが設けられ、カム板の摺動によってギヤを介してファインダーユニット側のカム軸が回動し、このカム軸に案内されるファインダーレンズ群をその光軸に沿って移動させ、ファインダーから覗いた際の画角を調整するようにしている。
【０００４】
【発明が解決しようとする課題】
上記の通り、固定筒には、レンズ鏡胴の直進筒に突設されたカムピンを挿通させると共に該直進筒の進退動作に連動して直進動作するための溝（駆動溝）が開口形成されるため、該固定筒の上面側に載置状に設けられるファインダーユニットから漏れ出た光がカム板下面と固定筒上面との間の隙間から該溝を通って固定筒内に侵入する恐れがある。このため、従来のカメラでは、カム板の側縁又は下面に遮光用のモルトや植毛シート等を貼着し、固定筒上面との間の隙間からの漏光の侵入を防止するようにしている。
【０００５】
しかし、カム板に遮光用のモルトや植毛シート等を貼着する場合、その貼着作業を必要とするため、部品点数の増加及びカム板の製造工程の工数増加にもつながり、それだけコスト高を招く問題があるばかりでなく、レンズ鏡胴の頻繁な進退動作に連動してカム板も頻繁に摺動を繰り返すため、それだけモルトや植毛シート等も損耗し易く、経時的に遮光性が低下したり、損耗したモルトや植毛のカスが溝内に入り込んでしまう恐れもあった。
【０００６】
また、固定筒とカメラ本体との取り付け部分の隙間から侵入した光が、固定筒上面の溝から固定筒内に侵入してしまう問題もある。
【０００７】
そこで、本発明の課題は、固定筒内への漏光を簡易な構成により防止することのできるカメラを提供することにある。
【０００８】
【課題を解決するための手段】
上記課題を解決する請求項１記載の発明は、光軸に沿って直進動作する直進筒を有するレンズ鏡胴を収納すると共に、前記直進筒に設けられたカムピンを前記レンズ鏡胴の光軸に沿って直進動作可能に挿通させる駆動溝を有する固定筒と、前記固定筒の上面に設けられ、前記カムピンと嵌合して該カムピンの直進動作に伴って前記レンズ鏡胴の光軸と交差する方向に摺動可能とされたカム板と、前記カム板上に設けられ、該カム板の摺動に連動してファインダーレンズ群をその光軸方向に移動させるファインダーユニットとを有するカメラにおいて、前記固定筒上面又は前記ファインダーユニット下面の少なくとも一方に、該ファインダーユニットから前記固定筒の駆動溝内への漏光を防止する遮光用リブを一体に形成したことを特徴とするカメラである。
【０００９】
請求項２記載の発明は、前記遮光用リブは、前記レンズ鏡胴の光軸に沿い、且つ前記レンズ鏡胴の光軸に沿う駆動溝の長さ以上の長さで設けられることを特徴とする請求項１記載のカメラである。
【００１０】
請求項３記載の発明は、前記カム板の摺動を案内する摺動レールが前記固定筒上面における前記駆動溝の長さ方向の両端部近傍にそれぞれ突設され、前記遮光用リブは、前記各摺動レールの一端と連結されていることを特徴とする請求項２記載のカメラである。
【００１１】
【発明の実施の形態】
以下、本発明の実施の形態について図面に基づいて説明する。
【００１２】
最初に、本明細書における「前方側」と「後方側」について定義する。本明細書において「前方側」とは、カメラの正面側、即ち撮影レンズを収納したレンズ鏡胴が突出する側をいい、「後方側」とは、カメラの背面側、即ち撮影者により接眼される側をいう。
【００１３】
図１は本発明におけるカメラの主要部を示す分解斜視図であり、図において１は固定筒、２はカム板、３はファインダーユニットである。
【００１４】
固定筒１は、内部に撮影レンズ群（図示せず）が設けられたレンズ鏡胴１１を、図示しない駆動手段によって撮影レンズの光軸方向に沿って進退動作可能に収納しており、図示しないカメラ本体内に取り付けられるようになっている。このレンズ鏡胴１１は、撮影レンズ群の光軸に沿って直進動作する直進筒１１ａと、更にこの直進筒１１ａの内部にその直進筒１１ａの進退動作に連動して回転しながら撮影レンズ群の光軸に沿って進退動作を行う１又は２以上の回転筒１１ｂとを有して構成される。なお、１２はフロント地板である。
【００１５】
固定筒１の上面はレンズ鏡胴１１の光軸と直交する方向に亘って湾曲する円弧状を呈しており、その前方側及び後方側にそれぞれ円弧面に沿った立壁部１ａ、１ｂが形成されている。また、この固定筒１の上面には、図２に示すように、上記後方側の立壁部１ｂから前方側の立壁部１ａのやや手前に亘って、レンズ鏡胴１１の光軸に沿って延びる駆動溝１３が開口形成され、この駆動溝１３に前記直進筒１１ａから突設するカムピン１４が挿通することで、該直進筒１１ａの直進動作に伴ってこの駆動溝１３内をカムピン１４が光軸方向に沿って直進動作するようになっている。
【００１６】
更に、固定筒１の上面には、レンズ鏡胴１１の光軸とほぼ直交する方向に沿ってカム板摺動レール１５が所定高さで突設されている。このカム板摺動レール１５は、上記カムピン１４が挿通する駆動溝１３の長さ方向両端部近傍にそれぞれ位置しており、本実施形態では、前方側の立壁部１ａのやや手前に位置する駆動溝１３の前方側の端部に配設されたレール１５ａと、駆動溝１３の後方側端部近傍において、後方側の立壁部１ｂから若干の間隙をおいて位置するレール１５ｂとの２本のレールからなる。なお、上記駆動溝１３は、その長さ方向の両端部が各レール１５ａ、１５ｂの配設位置をそれぞれを越える長さに形成されているため、各レール１５ａ、１５ｂは該駆動溝１３の部分において一部途切れている。
【００１７】
カム板２は、上記駆動溝１３全体を覆い隠すように上記固定筒１の各立壁部１ａ、１ｂ間に亘る長さに形成された板部２１と、該板部２１の前方側において、カム板２が固定筒１の上面に添着された際に、前方側の立壁部１ａと前方側のカム板摺動レール１５ａとの間に配置され、該カム板摺動レール１５ａの配設方向に沿うように板部２１の側方に延びるギヤ部２２とを有しており、このギヤ部２２の上面にはギヤ２２ａが刻設されている。カム板２は、これら板部２１、ギヤ部２２が上記固定筒１上面の湾曲形状に合致する湾曲形状を呈している。
【００１８】
このカム板２の裏面（固定筒１上面と対向する面）には、上記駆動溝１３から突出するカムピン１４が嵌合するカム溝２３が凹設されており、レンズ鏡胴１１の光軸に沿って曲線状に延びていると共に、上記各カム板摺動レール１５ａ、１５ｂに嵌合する直線状の摺動溝２４（２４ａ、２４ｂ）がそれぞれ凹設されている。従って、カム板２は、上記カム溝２３が上記駆動溝１３から突出するカムピン１４に嵌合すると共に、上記摺動溝２４が上記カム板摺動レール１５と嵌合するように固定筒１の上面に添着され、この状態で上記カムピン１４が駆動溝１３内を直進動作するのに伴って、このカムピン１４と嵌合するカム溝２３に案内されながら、カム板摺動レール１５に沿って固定筒１上面を、レンズ鏡胴１１の光軸とほぼ直交する方向に移動可能とされている。
【００１９】
図３（ａ）はレンズ鏡胴１１がワイド位置にある時のカム板２の位置を示している。なお、ここではレンズ鏡胴１１は図示省略している。この状態ではカムピン１４は最も後方側（図示下側）に位置しており、カム板２の板部２１は、カム溝２３が上記カムピン１４と嵌合することにより、カム板摺動レール１５における図示左側端部に位置している。この状態からレンズ鏡胴１１がテレ位置に移動すると、直進筒１１ａの直進動作に伴ってカムピン１４は駆動溝１３を前方側（図示上側）に移動し、この移動に伴って、カム板２は曲線状のカム溝２３に案内されながらカム板摺動レール１５に沿って図示右方向に移動する。
【００２０】
カム板２が固定筒１の上面に添着された状態で、その上方からファインダーユニット３が装着される。ファインダーユニット３は、対物レンズ３１から取り込まれた被写体像をファインダーレンズ群３２、プリズム３３、反射ミラー３４を介して接眼レンズ３５から出射させるように構成され、上記ファインダーレンズ群３２は、該ファインダーレンズ群３２に併設されたカム軸３６の回動によって光軸方向に沿って移動することで間隔が調整され、接眼レンズ３５から出射される被写体像の画角が調整されるようになっている。
【００２１】
カム軸３６の一端には、カム板２のギヤ部２２上面に刻設されているギヤ２２ａと噛合するギヤ３６ａが形成されており、ファインダーユニット３がカム板２上面に装着された際に、このギヤ３６ａがカム板２のギヤ部２２上面のギヤ２２ａと噛合することで、カム板２のカム板摺動レール１５に沿う摺動に連動してファインダーユニット３のカム軸３６が回動し、ファインダーレンズ群３２を移動させるようになっている。
【００２２】
固定筒１の上面におけるカム板摺動レール１５の一方端部には、レンズ鏡胴１１の光軸に沿い、駆動溝１３と平行に遮光用リブ１６が固定筒１の上面に一体に突出形成されている。この遮光用リブ１６の突出高さは、図４に示すように、この上面に装着されるファインダーベース３の下面３ａまで達する程度の高さとされ、また、レンズ鏡胴１１の光軸に沿う長さは、駆動溝１３の長さ以上の長さを有しており、これが各レール１５ａ、１５ｂの端部に連接されている。
【００２３】
この遮光用リブ１６が突設されるカム板摺動レール１５の一方端部は、図４に示すように、固定筒１の上面にファインダーユニット３が装着された際に、該ファインダーユニット３のファインダーレンズ群３２が配設される部位と、固定筒１に開設された駆動溝１３との間に位置しており、この遮光用リブ１６がファインダーユニット３の下面３ａまで達する程度の高さに形成されることで、ファインダーユニット３のファインダーレンズ群３２から駆動溝１３側への漏光が阻止される。
【００２４】
この遮光用リブ１６は、固定筒１の上面に一体形成されるため、従来のように別部材として組み付ける必要がなく、また、非摺動部であるため、レンズ鏡胴１１の度重なる進退動作によって損耗等することがない。特に、この遮光用リブ１６は、本実施形態に示すように、レンズ鏡胴１１の光軸に沿う駆動溝１３の長さ以上の長さで設けられていると、駆動溝１３全体に亘って漏光の侵入を阻止する効果が高いために好ましい。また、遮光用リブ１６がカム板摺動レール１５ａ、１５ｂの一方端部と連結されていることで、ファインダーユニット３のファインダーレンズ群３２側からの漏光を遮光用リブ１６と各カム板摺動レール１５ａ、１５ｂとで囲むように阻止するため、漏光阻止効果が高く好ましい。
【００２５】
本実施形態では、図４に示すように、ファインダーユニット３の下面３ａに、固定筒１の上面に向けて突出するリブ３７をレンズ鏡胴１１の光軸方向に沿って一体形成し、ファインダーユニット３が固定筒１の上面に装着された時に、このリブ３７が遮光用リブ１６の側面に当接するように構成し、ファインダーユニット３のファインダーレンズ群３２から駆動溝１３側へ至る光路を屈曲させることで、漏光阻止効果をより高めている。
【００２６】
ファインダーユニット３の下面３ａから突出するリブ３７を固定筒１の上面に達する程度の高さに突設することで、このリブ３７が単独で遮光用リブとして機能するようにしてもよく、この場合は必ずしも固定筒１上面に遮光用リブ１６を突設しなくてもよい。
【００２７】
なお、図示しないが、遮光用リブ１６に遮光用のモルトや植毛を設けることで、漏光阻止効果を更に高めるようにしてもよい。この場合、遮光用リブ１６にモルトや植毛を設けても摺動することがないため、従来のようにモルトや植毛が摺動により損耗するような問題はない。
【００２８】
【発明の効果】
本発明によれば、固定筒上面又はファインダーユニット下面の少なくとも一方に、該ファインダーユニットから固定筒の駆動溝内への漏光を防止する遮光用リブを一体に形成したことにより、固定筒内への漏光を簡易な構成で防止することのできるカメラを提供することができる。
【図面の簡単な説明】
【図１】カメラの主要部を示す分解斜視図
【図２】固定筒の構造を示す平面図
【図３】（ａ）はレンズ鏡胴がワイド位置にあるときのカム板の位置を示す固定筒の平面図、（ｂ）はレンズ鏡胴がテレ位置にあるときのカム板の位置を示す固定筒の平面図
【図４】固定筒上にファインダーユニットを装着した状態の部分断面図
【符号の説明】
１：固定筒
１ａ、１ｂ：立壁部
１１：レンズ鏡胴
１１ａ：直進筒
１１ｂ：回転筒
１２：フロント地板
１３：駆動溝
１４：カムピン
１５：カム板摺動レール
１６：遮光用リブ
２：カム板
２１：板部
２２：ギヤ部
２２ａ：ギヤ
２３：カム溝
２４：摺動溝
３：ファインダーユニット
３ａ：下面
３１：対物レンズ
３２：ファインダーレンズ群
３３：プリズム
３４：反射ミラー
３５：接眼レンズ
３６：カム軸
３６ａ：ギヤ
【図１】
2004086049.tif 000003
【図２】
2004086049.tif 000004
【図３】
2004086049.tif 000005
【図４】
2004086049.tif 000006